(57)【要約】【課題】浴槽における給湯口周辺部の過熱を抑える。【解決手段】浴槽２の側面に給湯用の開口部２ｂが形成され、浴槽２よりも高耐熱性材料からなるアダプタ１０が開口部２ｂに挿入された状態で浴槽２に固定され、このアダプタ１０を介して浴槽２に給湯用配管４が固定接続されると共に、当該配管４に、浴槽２内に開口する内側面２ａをもち給湯用配管４内の湯を浴槽２内に導入すべく案内する案内部材２０が接続されている。この案内部材２０には、浴槽２の内側面２ａとの間に隙間を隔てた状態でこの内側面２ａに沿った方向に伸び、給湯口２０ａから導入される湯が前記内側面２ａに対流するのを阻止するための遮蔽部２２が一体に設けられている。そして、給湯口２０ａ及び遮蔽部２２等が保護カバー３０により浴槽２の内側から覆われている。【選択図】図２
2009186146.tif 000002
【特許請求の範囲】
【請求項１】
給湯用配管を通じて浴槽内に給湯を行う風呂設備における前記浴槽の給湯部分の構造であって、
前記浴槽の側面に給湯用の開口部が形成され、前記給湯用配管よりも低熱伝導性を有する中空形状のアダプタが当該開口部の内側に配置された状態で前記浴槽に固定されると共に、このアダプタに前記給湯用配管が固定され、前記浴槽内に開口する給湯口をもち、前記給湯用配管内の湯を浴槽内に案内する筒状の案内部材が前記アダプタの内側に配置されると共に、前記給湯用配管に接続され、さらに前記給湯口の周囲に、前記給湯口から浴槽内に導入された湯が、浴槽の内側面であって前記給湯用配管が接続される側の側面に移動するのを阻止するための遮蔽板が設けられ、当該遮蔽板、案内部材及びアダプタが、湯を通過させるための開口を備え、かつ前記給湯口への対向面が非開口部とされたカバー部材により浴槽の内側から一体に覆われていることを特徴とする浴槽の給湯部構造。
【請求項２】
請求項１に記載の浴槽の給湯部構造において、
前記遮蔽板は、浴槽の内側面に沿って上方に伸び、かつ上端側ほど浴槽中央部に接近するように形成されていることを特徴とする浴槽の給湯部構造。
【請求項３】
請求項１又は２に記載の浴槽の給湯部構造において、
前記遮蔽板は、前記給湯口の縁部に連続するように前記案内部材に対して一体に形成されていることを特徴とする浴槽の給湯部構造。
【請求項４】
請求項１乃至３の何れか一項に記載の浴槽の給湯部構造において、
前記給湯口の下方位置に、前記浴槽の内底部側から上方に向かう水を前記浴槽の内側面であって前記給湯用配管が接続される側の側面に向かって誘導する誘導板が設けられていることを特徴とする浴槽の給湯部構造。
【請求項５】
請求項４に記載の浴槽の給湯部構造において、
前記誘導板は、前記案内部材に一体に形成されていることを特徴とする浴槽の給湯部構造。
【請求項６】
請求項１乃至５の何れか一項に記載の浴槽の給湯部構造において、
前記アダプタは、前記給湯用の開口部の位置から前記浴槽の内側面に沿って上方に伸びる延設部分を有していることを特徴とする浴槽の給湯部構造。
【請求項７】
請求項１乃至６の何れか一項に記載の浴槽の給湯部構造において、
前記アダプタの内周面と前記案内部材の外周面との間に前記浴槽内の水が侵入可能な隙間が形成されていることを特徴とする浴槽の給湯部構造。
【請求項８】
上記給湯部構造に用いられる給湯部構成用ユニットであって、
給湯用配管が接続される接続部分を一端に備えた筒状部を具備し、当該筒状部が浴槽の側面に形成される給湯用の開口部に挿入されるように、前記浴槽に対して固定されるアダプタと、
前記アダプタに組付けられることにより、前記筒状部に接続される給湯用配管に対して接続され、前記浴槽内に開口する給湯口を形成する筒状の案内部材と、
湯を通過させるための開口を備え、前記アダプタに組付けられることにより前記給湯口を覆うカバー部材と、を備え、
前記案内部材は、前記給湯口の周囲に位置し、前記給湯口から浴槽内に導入される湯が浴槽の内側面側に移動するのを阻止するための遮蔽板を具備し、
前記カバー部材は、当該遮蔽板及び前記給湯口を一体に覆うように構成されている、ことを特徴とする給湯部構成用ユニット。
【請求項９】
請求項８に記載の給湯部構成用部材において、
前記アダプタは、アダプタ本体と、このアダプタ本体に着脱可能に装着されるナット部材とからなり、さらに前記筒状部の外周面のうち給湯用配管の前記接続部分とは反対側の一端部分に鍔部を有すると共に、当該鍔部よりも前記接続部分側の位置に前記ナット部材が装着可能なねじ部を有するものであり、前記筒状部を前記開口部に対して前記浴槽の内側から挿入し、かつ前記鍔部を浴槽の内側面に突き当てた状態で、前記浴槽の外側から前記筒状部に対して前記ナット部材を装着することにより、前記浴槽に対して固定されることを特徴とする給湯部構成用ユニット。
【発明の詳細な説明】
【技術分野】
【０００１】
本発明は、風呂釜と浴槽とを配管で繋ぎ、風呂釜で温めた湯を主に自然対流によって浴槽に送り出すように構成された風呂設備に適した浴槽の給湯部構造に関するものである。
【背景技術】
【０００２】
従来から風呂釜と浴槽とを上下２本の配管で繋ぎ、釜内部で温めた湯を自然対流によって上側の配管から浴槽内に送り出しつつ浴槽内の水を下側の配管から釜内部に引き入れることにより浴槽内の水を加熱する風呂設備が知られている（例えば特許文献１）。
【０００３】
図５は、そのような従来の風呂設備の浴槽における給湯部分の構造を断面図で示している。この図において符合５０は、給湯用の配管（上側の配管）であって浴槽５５の外側面に固定接続されている。詳しくは、浴槽５５の側面に形成された開口部５５ａに、給湯口５６を形成する接続金具５７が挿着され、給湯用の前記配管５０がこの接続金具５７に螺合されることにより浴槽５５に接続されている。そして、接続金具５７に装着される保護カバー５８により前記給湯口５６が覆われた構造となっている。つまり、風呂釜内部で温められた湯は、配管５０及び接続金具５７を通じて給湯口５６から浴槽５０に送り込まれ、図中の実線矢印で示すように、保護カバー５８と浴槽５０の内側面との隙間から主に上方に移動して浴槽５５内に対流するようになっている。
【特許文献１】特開平５−３４０００（図３参照）
【発明の開示】
【発明が解決しようとする課題】
【０００４】
マンション等の集合住宅では、浴室として所謂ユニットバスが適用され、浴室設計の負担軽減と共に大量生産を可能して工期の短縮化、及び低廉化が図られている。ユニットバスは、浴槽と防水パンを壁材と天井材で箱形に組立てたもので、浴槽や防水パンは、一般に、軽量で強度、耐食性及び成形性に優れた繊維強化プラスチック〔Fiberglass Reinforced Plastics：以下、ＦＲＰという〕を圧縮成型したものが適用されている。
【０００５】
ところで、近年、オーダーメイドのユニットバスの受注が増える傾向にあり、特に集合住宅のリフォームでは、少ないスペースを有効活用すべく浴室形状に応じたユニットバスが要求される傾向にある。このような場合、浴槽等としてＦＲＰ成型品を用いるのでは、その都度、一対の専用金型とそれらの開閉装置を含む大型の成型設備を製作する必要があるため事実上の対応が困難である。そこで、このようなオーダーメイドのユニットバスについては、圧縮成型に比べて製作容易で、かつ設備コストが安価な真空成型によりアクリル樹脂を用いて浴槽を成型したものを適用することが考えられている。
【０００６】
ところが、特許文献１のような風呂設備では、風呂釜において沸点近くまで加熱された湯が直接浴槽に送り込まれるため、給湯口周囲の温度は、高い場合には８０°Ｃ以上に達する場合があり、上記のようなアクリル樹脂成型品の浴槽では、おおよそ８５°程度で軟化が始まるため、給湯口近傍において浴槽に変形等が生じることが考えられる。従って、この点を解決することが一つの課題となっている。
【０００７】
本発明は上記の事情に鑑みてなされたものであって、浴槽における給湯口周辺部の過熱を抑えることができる浴槽の給湯部構造を提供することを目的とするものである。
【課題を解決するための手段】
【０００８】
上記課題を解決するために、本発明は、給湯用配管を通じて浴槽内に給湯を行う風呂設備における前記浴槽の給湯部分の構造であって、前記浴槽の側面に給湯用の開口部が形成され、前記給湯用配管よりも低熱伝導性を有する中空形状のアダプタが当該開口部の内側に配置された状態で前記浴槽に固定されると共に、このアダプタに前記給湯用配管が固定され、前記浴槽内に開口する給湯口をもち、前記給湯用配管内の湯を浴槽内に案内する筒状の案内部材が前記アダプタの内側に配置されると共に、前記給湯用配管に接続され、さらに前記給湯口の周囲に、前記給湯口から浴槽内に導入された湯が、浴槽の内側面であって前記給湯用配管が接続される側の側面に移動するのを阻止するための遮蔽板が設けられ、当該遮蔽板、案内部材及びアダプタが、湯を通過させるための開口を備え、かつ前記給湯口への対向面が非開口部とされたカバー部材により浴槽の内側から一体に覆われているものである。
【０００９】
この構造によれば、湯は、給湯用の配管及び案内部材を通じて給湯口から浴槽内に導入され、カバー部材の非開口部に沿って自然対流により上方に移動し、さらに遮蔽板に沿って上方に移動することとなる。つまり、このように遮蔽板に沿って湯が移動することにより、浴槽の内側面側（給湯用配管が接続される側の側面）への湯の移動が規制され、その結果、浴槽における給湯口周辺部の過熱が抑制される。また、給湯用配管が、それよりも低熱伝導性を有するアダプタを介して浴槽に接続されている結果、配管から浴槽への熱伝導が抑制され、これによっても浴槽における給湯口周辺部の過熱が抑制される。
【００１０】
上記の給湯部構造において、前記遮蔽板は、浴槽の内側面に沿って上方に伸び、かつ上端側ほど浴槽中央部に接近するように形成されているのが好適である。
【００１１】
この構造によると、給湯口から挿入される湯は、上方に向かうに伴い浴槽中央に向かって案内されることとなる。そのため、導入直後の湯が浴槽の内側面側（給湯用配管が接続される側の側面）に流動するのをより効果的に阻止することができる。
【００１２】
なお、遮蔽板は、前記案内管と別体のものであってもよいが、給湯口から遮蔽板に沿ってスムーズに湯を案内する上では、前記給湯口の縁部に連続するように前記案内部材に対して一体に形成されているのが好適である。
【００１３】
また、上記の給湯部構造においては、前記給湯口の下方位置に、前記浴槽の内底部側から上方に向かう水を前記浴槽の内側面であって前記給湯用配管が接続される側の側面に向かって誘導する誘導板が設けられているのが好適である。
【００１４】
すなわち、遮蔽板によって導入直後の湯が浴槽の内側面側に流動することが規制されると、浴槽の内側面（給湯用配管が接続される側の側面）近傍に低温域が形成される。このような低温域の水（湯）は、浴槽の給湯口周辺部の過熱を抑える上で有効に作用するが、上記の構成によれば、浴槽内の水（湯）の対流に伴って浴槽内底部の比較低温の水（湯）を浴槽の内側面側に良好に案内することができるため、浴槽の内側面近傍に上記のような低温域を長期的に確保することが可能となる。なお、案内板は、前記案内部材と別体のものであってもよいし、案内部材に対して一体に形成されているものであってもよい。
【００１５】
また、上記の給湯部構造において、前記アダプタは、前記給湯用の開口部の位置から前記浴槽の内側面に沿って上方に伸びる延設部分を有しているのが好適である。
【００１６】
この構造によれば、給湯口周辺部において浴槽内側面に湯が直接接触することを抑えることが可能となり、その結果、当該内側面の過熱を抑制することが可能となる。
【００１７】
また、上記の給湯部構造においては、前記アダプタの内周面と前記案内部材の外周面との間に前記浴槽内の水が侵入可能な隙間が形成されているのが好適である。
【００１８】
この構造によれば、アダプタの内周面と案内部材の外周面との間を上記のような低温域とすることが可能となる。つまり、低温域の水（湯）によってアダプタを冷却することが可能となり、これによって給湯用配管から浴槽への熱伝導を抑制して浴槽の過熱を抑えることができる。
【００１９】
一方、本発明に係る給湯部構成用ユニットは、上記給湯部構造に用いられる給湯部構成用ユニットであって、給湯用配管が接続される接続部分を一端に備えた筒状部を具備し、当該筒状部が浴槽の側面に形成される給湯用の開口部に挿入されるように、前記浴槽に対して固定されるアダプタと、前記アダプタに組付けられることにより、前記筒状部に接続される給湯用配管に対して接続され、前記浴槽内に開口する給湯口を形成する筒状の案内部材と、湯を通過させるための開口を備え、前記アダプタに組付けられることにより前記給湯口を覆うカバー部材と、を備え、前記案内部材は、前記給湯口の周囲に位置し、前記給湯口から浴槽内に導入される湯が浴槽の内側面側に移動するのを阻止するための遮蔽板を具備し、前記カバー部材は、当該遮蔽板及び前記給湯口を一体に覆うように構成されている、ものである。
【００２０】
このような給湯部構成用ユニットによれば、前記アダプタを浴槽に固定し、このアダプタに給湯用配管を接続した上で、前記案内部材を前記給湯用配管に接続すると共に前記アダプタに組付け、さらにカバー部材を前記アダプタに組付ければ、上記のような浴槽の給湯部構造を得ることが可能となる。
【００２１】
なお、この給湯部構成用ユニットにおいて、前記アダプタは、アダプタ本体と、このアダプタ本体に着脱可能に装着されるナット部材とからなり、さらに前記筒状部の外周面のうち給湯用配管の前記接続部分とは反対側の一端部分に鍔部を有すると共に、当該鍔部よりも前記接続部分側の位置に前記ナット部材が装着可能なねじ部を有するものであり、前記筒状部を前記開口部に対して前記浴槽の内側から挿入し、かつ前記鍔部を浴槽の内側面に突き当てた状態で、前記浴槽の外側から前記筒状部に対して前記ナット部材を装着することにより、前記浴槽に対して固定されるものであるのが好適である。
【００２２】
この構成によれば、前記アダプタを浴槽に対して簡単に組付けて固定することが可能となるため、風呂設備の設置作業性が向上する。
【発明の効果】
【００２３】
本発明によれば、給湯口から浴槽内に導入された直後の湯を遮蔽板に沿って案内することにより、当該湯が浴槽内側面側（給湯用配管が接続される側の側面）に移動するのを阻止するようにしたので、浴槽における給湯口周辺部の過熱を効果的に抑えることができる。
【発明を実施するための最良の形態】
【００２４】
本発明の好ましい実施の形態について図面を用いて説明する。
【００２５】
図１は、本発明が適用される風呂設備の概略を示す断面図である。この図に示すように、風呂設備は、浴室１に設置される浴槽（バスタブ）２と、室外に設置される風呂釜３と、前記浴槽２と風呂釜３とを繋ぐ上下２本の金属製等の配管４，５（給湯用配管４、引込み用配管５）とを有しており、風呂釜３内においてバーナー等の燃焼により温められた湯が自然対流により上側の給湯用配管４から浴槽２に送り出され、その分の水が下方に位置する引込み用配管５から風呂釜３に引き入れられることで浴槽２内の水が加熱される構成となっている。浴槽２は、真空成型されたものであって、当実施形態ではアクリル樹脂の成型品の外表面に適宜ＦＲＰの補強層を貼付けた多層構造を有している。
【００２６】
図２は、上記風呂設備における前記浴槽２の給湯部Ｓｈの構造を断面図で示しており、図３は、同給湯部Ｓｈを構成する主要部品を分解斜視図で示している。
【００２７】
前記浴槽２の側面には給湯用の開口部２ｂが穿設されている。浴槽２には、配管接続用のアダプタ１０が前記開口部２ｂに挿入された状態で固定されており、このアダプタ１０を介して前記浴槽２に前記給湯用配管４が接続されている。
【００２８】
アダプタ１０は、アダプタ本体１１、ナット部材１２、及びリング状のパッキン１３ａ，１３ｂから構成されている。アダプタ本体１１は、プレート状のベース部１５に中空のボルト部１４（本発明に係る筒状部に相当する）が突設された形状を有しており、図２に示すように、ボルト部１４を浴槽２の前記開口部２ｂに挿入し、かつ浴槽２とベース部１５との間にパッキン１３ａを挟み込んだ状態で浴槽２の内側面２ａに重ね合わされている。そして、前記ナット部材１２と浴槽２との間にパッキン１３ｂを挟み込んだ状態で、当該ナット部材１２が浴槽２の外側から前記ボルト部１４に螺合装着されている。このようにアダプタ本体１１とナット部材１２とで浴槽２を挟持することにより前記アダプタ１０が浴槽２に固定されている。
【００２９】
なお、アダプタ本体１１やナット部材１２は、それぞれ全体が耐熱性に優れ、前記給湯用配管４よりも低熱伝導性の樹脂材料から形成されており、当実施形態では、例えばポリカーボネートにより形成されている。
【００３０】
給湯用配管４は、上記アダプタ１０の前記ボルト部１４に対してその末端部分に突き当てられた状態で固定接続されている。詳しくは、前記ボルト部１４の先端内周面には、円環状のフランジ１６（本発明に係る給湯用配管の接続部分に相当する）が形成されている。そして、このアダプタ１０の当該ボルト部１４に対して円筒状の接続金具４０が浴槽２の内側から挿入されている。接続金具４０は、その外周面に雄ねじが形成されたボルト状の部材で、後端部にはその全周に亘って鍔部４１が形成されている。この接続金具４０は、図２に示すように、ねじ軸の部分を前記ボルト部１４から浴槽外側に突出させるように、前記浴槽２の内側からアダプタ１０（前記フランジ１６の内周の部分）内に挿入された状態で、リング状のパッキン４２を介して前記鍔部４１が前記フランジ１６に突き当てられることにより抜け止めされている。そして、内周面に雌ねじ４ａが形成された前記給湯用配管４が接続金具４０のねじ軸部分の外周に螺合されると共に、当該給湯用配管４と前記鍔部４１とでフランジ１６を挟持するように前記接続金具４０に対して給湯用配管４が締結されている。これによって給湯用配管４が、その末端部分をアダプタ１０（ボルト部１４）に突き当てた状態で当該アダプタ１０に固定され、当該アダプタ１０を介して浴槽２に接続されている。
【００３１】
アダプタ１０には、給湯用配管４内の湯を浴槽２内に案内する案内部材２０が装着されている。この案内部材２０は、円筒状の連結部２１と、この連結部２１の一端側に先広がりとなるように一体形成される略プレート状の遮蔽部２２（本発明に係る遮蔽板に相当する）とを備えた部材で、例えばポリカーボネート等の高耐熱性の樹脂から形成されている。なお、この案内部材２０はステンレス等の金属から形成されているものでもよい。
【００３２】
案内部材２０は、図２に示すように、連結部２１を浴槽２の内側から前記接続金具４０に挿入、嵌合させた状態で浴槽内に配置され、後述する保護カバー３０と共に前記アダプタ１０のアダプタ本体１１に一体に固定されている。詳しくは、アダプタ本体１１の前記ベース部１５には、図３に示すように、略円筒状の複数の突起１８が形成されており、他方、案内部材２０の前記遮蔽部２２には、前記突起１８に対応する固定孔２３が形成されている。そして、保護カバー３０が案内部材２０を覆うようにアダプタ１０（アダプタ本体１１）に嵌合され、この状態で保護カバー３０の外側から、保護カバー３０の固定孔３３及び案内部材２０の前記固定孔２３を通してセルフタップ付きのねじ３５が前記突起１８に挿入されることにより、案内部材２０が保護カバー３０と共にアダプタ本体１１に固定されている。これによって給湯用配管４の湯が、案内部材２０（連結部２１）を通じて浴槽２内に案内されつつ遮蔽部２２側の開口（給湯口２０ａという）から浴槽２内に導入されるようになっている。
【００３３】
なお、前記案内部材２０の前記連結部２１の外径寸法は、接続金具４０に嵌合可能な寸法に設定され、他方、案内部材２０の前記遮蔽部２２は、前記突起１８を介してアダプタ本体１１に固定されている。従って、上記のように案内部材２０がアダプタ１０に固定された状態では、図２に示すように、案内部材２０とアダプタ１０との間に、そのほぼ全体に亘って隙間が形成されている。また、案内部材２０の遮蔽部２２、及びアダプタ本体１１のベース部１５は、図２等に示すように、前記給湯口２０ａに対して上側に位置する部分（本発明に係る延設部分に相当する）の寸法（上下方向の寸法）の方が下側に位置する部分の同寸法よりも十分に大きくなるように形成されており、さらに、案内部材２０の前記遮蔽部２２は、その上端部分および下端部分が、それぞれ末端ほど浴槽中央部（図２では左側）に向うように傾斜した形状とされている。
【００３４】
そして、上記のように浴槽２に固定された上記アダプタ１０に対して案内部材２０の外側（浴槽２の内側）から保護カバー３０（本発明に係るカバー部材）が組付けられている。
【００３５】
保護カバー３０は、耐熱性に優れたポリカーボネート等の樹脂材料により形成されている。この保護カバー３０は、給湯口２０ａに対向する位置に、給湯口２０ａからの湯が直接入浴者側に流動するのを防止するための未開口部３１が形成される以外、全体に亘って複数の開口部３２が形成されており、これら開口部３２を通じて浴槽２内に湯を導入させるようになっている。なお、この保護カバー３０は、既に説明した通り、案内部材２０と共にねじ３５により前記アダプタ１０に固定されている。
【００３６】
次に、上記のような構造の給湯部Ｓｈの作用効果について図４を用いて説明する。
【００３７】
上記の風呂設備において、風呂釜３で温められた湯は、給湯用配管４、接続金具４０及び案内部材２０を通じて給湯口２０ａから浴槽２内に導入される。導入された湯は、図４中に実線矢印で示すように、保護カバー３０の未開口部３１に沿って上方に移動し、さらに当該未開口部３１と案内部材２０の前記遮蔽部２２との隙間を介して当該遮蔽部２２に沿って上方に移動することにより保護カバー３０の前記開口部３２を通じて浴槽中央部に流動することとなる。つまり、このように遮蔽部２２によって湯の流れが規制されることにより、導入直後の湯が浴槽２の内側面２ａ（給湯用配管４が接続される側の内側面２ａ；以下同じ）に沿って流動することが防止される。特に、上記の給湯部Ｓｈでは、遮蔽部２２の上端部が浴槽中央側に向かって傾斜した形状とされている結果、遮蔽部２２に沿って上方に移動した湯は浴槽中央側に向かって良好に対流することとなり、これによって浴槽２の内側面２ａ側への湯の移動が効果的に阻止される。従って、給湯口２０ａから高温の湯が導入される場合でも、給湯口２０ａ周辺部における浴槽２の過熱が効果的に抑えられる。
【００３８】
また、上記のように給湯口２０ａから導入される湯が遮蔽部２２に沿って浴槽中央部側に対流する結果、遮蔽部２２とアダプタ１０のベース部１５との間の部分には低温域が形成される。このような低温域の水（湯）は、上記のように遮蔽部２２に沿った湯の対流に追従して浴槽中央側に移動するため、これを補うべく浴槽内底部の低温の水（湯）が浴槽２の内側面２ａに沿って前記開口部３２から保護カバー３０内に導入され、その結果、図４中に破線矢印で示すように、浴槽２の内側面２ａに沿った比較的低温の水（湯）流が形成される。つまり、この冷温域によって浴槽２の内側面２ａと給湯口２０ａから導入される湯とが遮断され、その結果、給湯口２０ａ周辺部における浴槽２の過熱が抑えられることとなる。特に、上記の給湯部Ｓｈの構造では、遮蔽部２２の下端部が浴槽中央側に向かって傾斜した形状とされている結果、浴槽内底部から上昇してくる低温の水（湯）がスムーズに案内部材２０とアダプタ本体１１との間に導入され、これによって上記のような水（湯）の流れが良好に形成されることとなる。従って、浴槽２の内側面２ａ近傍に上記のような低温域が長期的に、かつ安定的に確保され、その結果、給湯口２０ａ周辺部における浴槽２の過熱が効果的に抑えられることとなる。なお、この実施形態では、ベース部１５の下端部が本発明に係る誘導板に相当する。
【００３９】
また、この給湯部Ｓｈでは、耐熱性が高く、給湯用配管４よりも低伝熱性を有するアダプタ１０を介して浴槽２に給湯用配管４が接続されているため、給湯用配管を直接浴槽に接続している従来構成に比べると給湯用配管４から浴槽２への熱伝導も抑制される。特に、この給湯部Ｓｈでは、上記のような低温の水（湯）の流れが保護カバー３０内に形成される結果、正確には、案内部材２０とアダプタ本体１１との間の隙間に低温の水（湯）の流れが形成される結果、アダプタ１０が冷却されることとなり、これによって給湯用配管４から浴槽２への熱伝導が効果的に抑制される。従って、この作用によっても給湯口２０ａ周辺部における浴槽２の昇温が抑えられることとなる。
【００４０】
以上説明したように、本発明に係る上記給湯部Ｓｈの構造によれば、給湯口２０ａから高温の湯が浴槽２内に導入される場合でも、給湯口２０ａ周辺部における浴槽２の過熱が効果的に抑えられる。従って、上記のように浴槽２としてアクリル樹脂成型品を適用しながらも、熱変形等を伴うことなく長期的に安定して浴槽２を使用することが可能となる。
【００４１】
ところで、以上説明した給湯部Ｓｈの構造は、本発明に係る給湯部構造の好ましい実施形態の一例であって、その具体的な構造は、本発明の要旨を逸脱しない範囲で適宜変更可能である。
【００４２】
例えば、上記実施形態の給湯部Ｓｈの構造では、案内部材２０において、遮蔽部２２が連結部２１の一端側に先広がりとなるように一体形成されているが、遮蔽部２２は、このように連結部２１の一端側に連続的に形成される以外に、連結部２１の途中部分に形成されていてもよい。また、上記実施形態のように、給湯口２０ａを形成する案内部材２０に遮蔽部２２を一体に設ける以外に、遮蔽部２２に相当する部材を、案内部材２０とは別に設けるようにしてもよい。要は、給湯口２０ａから浴槽２内に導入される湯が浴槽２の内側面２ａ側に対流するのを防止するための遮蔽板が設けられていればよい。但し、上記実施形態のような構成によれば、遮蔽部２２が連結部２１の一端側に連続的に形成されるため、連結部２１を通じて送り込まれる湯を給湯口２０ａから遮蔽部２２に沿ってスムーズに浴槽中央側に対流させることができ、その結果、浴槽２の内側面２ａ側へ湯が移動するのを良好に阻止することができるという利点がある。
【００４３】
また、上記実施形態の給湯部Ｓｈの構造では、前記アダプタ１０のアダプタ本体１１にはプレート状のベース部１５が設けられているが、当該ベース部１５（開口部２ｂの周縁の部分を除く）を省略し、前記連結部２１の末端部分に対して案内部材２０や保護カバー３０を構成するようにしてもよい。なお、開口部２ｂの周縁の部分は、本発明に係るアダプタ本体の鍔部に相当する。
【００４４】
また、給湯部Ｓｈを構成する各部品の材質等についても上記実施形態のものに限定される訳ではなく適宜変更可能である。
【図面の簡単な説明】
【００４５】
【図１】本発明に係る浴槽の給湯部構造が適用される風呂設備の一例を示す断面図略図である。
【図２】浴槽の給湯部の構造を示す拡大断面図である。
【図３】浴槽の給湯部を構成する主要部品を示す分解斜視図である。
【図４】本発明に係る給湯部構造の作用効果を説明する同給湯部の断面図である。
【図５】従来の浴槽の給湯部構造を示す断面図である。
【符号の説明】
【００４６】
２  浴槽
２ａ  内側面
２ｂ  開口部
３  風呂釜
４  給湯用配管
５  引込み用配管
１０  アダプタ
１１  アダプタ本体
１２  ナット部材
１４  ボルト部
１５  ベース部
２０  案内部材
２０ａ  給湯口
２１  連結部
２２  遮蔽部
３０  保護カバー
３１  未開口部
３２  開口部
４０  接続金具
４１  鍔部
【図１】
2009186146.tif 000003
【図２】
2009186146.tif 000004
【図３】
2009186146.tif 000005
【図４】
2009186146.tif 000006
【図５】
2009186146.tif 000007